【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
第１の入力デバイスに関連付けられた第１の座標系を用いて表される位置信号を提供する第１の入力デバイスと、
第２の入力デバイスに関連付けられた第２の座標系を用いて表される位置信号を提供する第２の入力デバイスと、
共通の表示座標系を有する共通表示空間での表示のために、前記第１の入力デバイスに関連付けられた第１のポインタと、前記第２の入力デバイスに関連付けられた第２のポインタとを生成するポインタ生成システムと、
使用中の前記第１の入力デバイスの位置信号に部分的に基づき、かつ、使用中の前記第２の入力デバイスの位置信号に部分的に基づいて表示座標系内の使用中の前記第１のポインタの位置を算出し、使用中の前記第２の入力デバイスの位置信号に部分的に基づき、かつ、使用中の前記第１の入力デバイスの位置信号に部分的に基づいて表示座標系内の使用中の前記第２のポインタの位置を算出するマッピング統合プロセッサとを備え、
前記マッピング統合プロセッサは、さらに、使用中の前記第１の入力デバイス、および、使用中の前記第２の入力デバイスの現在の各位置信号の情報に基づいて、前記共通表示座標系内に、継続的に更新される動的境界を画定し、使用中の前記第１のポインタおよび使用中の前記第２のポインタの位置が、前記共通表示座標系内における最も左側の領域と最も右側の領域とを画定する前記動的境界の互いに異なる側にそれぞれ限定されるように使用中の前記第１のポインタおよび使用中の前記第２のポインタの現在の位置を算出する
ポインタ制御装置。
【請求項２】
前記動的境界は、前記共通表示空間を２つの重複しない連続領域に細分割し、前記２つの領域を結合した領域は、前記共通表示空間に等しい
請求項１に記載のポインタ制御装置。
【請求項３】
前記動的境界は、前記共通表示空間を２つの一部重複する連続領域に細分割する
請求項１に記載のポインタ制御装置。
【請求項４】
前記動的境界は、前記共通表示空間を動的な端に沿って静的に制約される２つの連続領域に細分割する
請求項１に記載のポインタ制御装置。
【請求項５】
前記第１の入力デバイスは左の位置信号を提供し、前記第２の入力デバイスは右の位置信号を提供し、
前記動的境界は、前記共通表示空間を左領域と右領域とに細分割し、前記動的境界は、前記左領域の右端と前記右領域の左端とを画定し、
前記マッピング統合プロセッサは、前記右の位置信号に基づき前記右端を算出し、前記左の位置信号に基づき前記左端を算出する
請求項１に記載のポインタ制御装置。
【請求項６】
前記左端および前記右端は、互いに一致する
請求項５に記載のポインタ制御装置。
【請求項７】
前記左端および前記右端は、相互に離間されている
請求項５に記載のポインタ制御装置。
【請求項８】
前記第１の入力デバイスおよび前記第２の入力デバイスは、互いに独立して動作する
請求項１に記載のポインタ制御装置。
【請求項９】
前記第１の入力デバイスおよび前記第２の入力デバイスは、同じ種類のセンサを用いて位置信号を生成する
請求項１に記載のポインタ制御装置。
【請求項１０】
前記第１の入力デバイスおよび前記第２の入力デバイスは、異なる種類のセンサを用いて位置信号を生成する
請求項１に記載のポインタ制御装置。
【請求項１１】
前記ポインタ制御装置は、さらに、追加の入力信号を提供する少なくとも１つの追加の入力デバイスを備え、
前記ポインタ生成システムは、前記追加の入力デバイスに関連付けられたポインタを生成し、
前記マッピング統合プロセッサは、前記第１の入力デバイスの位置信号と、前記第２の入力デバイスの位置信号と、前記追加の入力信号とに基づき前記追加の入力デバイスに関連付けられたポインタの位置を算出する
請求項１に記載のポインタ制御装置。
【請求項１２】
前記第１の座標系および前記第２の座標系のうちの少なくとも一方は、一次元の座標系である
請求項１に記載のポインタ制御装置。
【請求項１３】
前記第１の座標系および前記第２の座標系のうちの少なくとも一方は、二次元の座標系である
請求項１に記載のポインタ制御装置。
【請求項１４】
前記第１の座標系および前記第２の座標系のうちの少なくとも一方は、三次元の座標系である
請求項１に記載のポインタ制御装置。
【請求項１５】
前記マッピング統合プロセッサは、少なくとも１つの変換を実行する
請求項１に記載のポインタ制御装置。
【請求項１６】
前記マッピング統合プロセッサは、前記第１のポインタおよび前記第２のポインタがどちらも同時に中間領域に位置することを可能にするオーバーレイ制御係数を含む、少なくとも１つの変換を実行する
請求項４に記載のポインタ制御装置。
【請求項１７】
前記マッピング統合プロセッサは、前記第１の入力デバイスおよび前記第２の入力デバイスの所定の位置が表示座標系にマッピングされない外部境界の制限を含む少なくとも１つの変換を実行する
請求項１に記載のポインタ制御装置。
【請求項１８】
前記プロセッサは、マイクロプロセッサ、マイクロコントローラ、デジタル信号プロセッサ、コンピュータ、および特定用途集積回路（ＡＳＩＣ）からなる群から選択される
請求項１に記載のポインタ制御装置。
【請求項１９】
前記プロセッサは、前記第１の入力デバイスおよび前記第２の入力デバイスのうち少なくとも１つに内蔵される
請求項１に記載のポインタ制御装置。
【請求項２０】
前記プロセッサは、前記プロセッサに接続された機械読み取り可能なメモリに格納されたプログラム命令によって設定される
請求項１に記載のポインタ制御装置。
【請求項２１】
複数の入力デバイスに反応する表示画面上に複数のポインタを生成する方法であって、
前記方法は、
使用中の第１の入力デバイスから現在の第１の位置信号を電子的に受信する受信ステップと、
使用中の第２の入力デバイスから現在の第２の位置信号を電子的に受信する受信ステップと、
現在の前記第１の位置信号および現在の前記第２の位置信号を電子的に処理して、表示画面に関連付けられた所定の表示座標系内において、現在の前記第１の位置信号および現在の前記第２の位置信号の両方に基づく互いに異なる第１のポインタ位置および第２のポインタ位置を算出する処理ステップと、
第１のポインタおよび第２のポインタを生成して、前記表示画面上において、前記第１のポインタ位置に使用中の前記第１のポインタを表示し、かつ、使用中の前記第２のポインタを前記第２のポインタ位置に表示する生成表示ステップとを含み、
前記処理ステップは、使用中の前記第１の入力デバイスおよび使用中の前記第２の入力デバイスの現在の各位置信号の情報に基づいて、前記共通表示座標系内に、継続的に更新される動的境界を画定し、前記第１のポインタ位置および前記第２のポインタ位置を前記表示座標系内における最も左側の領域と最も右側の領域とを画定する前記動的境界の異なる側に限定するように算出する
方法。
【請求項２２】
前記第１の位置信号は左の位置信号であり、前記第２の位置信号は右の位置信号であり、
前記処理ステップは、前記左領域の右端と前記右領域の左端を画定する前記動的境界が表示空間を左領域と右領域とに細分割し、
前記処理ステップは、さらに、前記右の位置信号に基づいて前記右端を算出し、前記左の位置信号に基づいて前記左端を算出することを含む
請求項２１に記載の方法。
【請求項２３】
前記処理ステップは、前記第１の位置信号および前記第２の位置信号の変換を適用することで実行される
請求項２１に記載の方法。
【請求項２４】
前記処理ステップは、前記第１の位置信号および前記第２の位置信号間の二次関数を定義する変換を適用することで実行される
請求項２１に記載の方法。
【請求項２５】
前記処理ステップは、前記第１のポインタ位置および前記第２のポインタ位置が前記動的境界に関連付けられた共通の中間領域に位置することを可能にするオーバーレイ制御係数を含む変換であり、前記第１の位置信号および前記第２の位置信号間の二次関数を定義する変換を適用することで実行される
請求項２１に記載の方法。
【請求項２６】
前記第１の入力デバイスおよび前記第２の入力デバイスは、それぞれ選択可能な位置の関連範囲を有し、
前記処理ステップは、前記第１の入力デバイスおよび前記第２の入力デバイスの関連範囲の所定の部分が表示座標系にマッピングされない外部境界の制限を含む変換であり、前記第１の位置信号および前記第２の位置信号間の二次関数を定義する変換を適用することで実行される
請求項２１に記載の方法。
【請求項２７】
前記処理ステップは、前記表示画面を２つの連続領域に細分割する動的線形境界を定義して実行される
請求項２１に記載の方法。
【請求項２８】
前記処理ステップは、前記表示画面を２つの連続領域に細分割する動的曲線境界を定義して実行される
請求項２１に記載の方法。
【請求項２９】
前記処理ステップは、前記表示画面を中間領域の両側の２つの連続領域に細分割する前記中間領域を含む動的境界を定義して実行される
請求項２１に記載の方法。
【請求項３０】
前記電子的処理は、マイクロプロセッサ、マイクロコントローラ、デジタル信号プロセッサ、コンピュータ、および特定用途集積回路（ＡＳＩＣ）からなる群から選択されるデバイスを用いて実行される
請求項２１に記載の方法。
【請求項３１】
複数のポインタを表示画面上に生成する装置であって、
前記装置は、
使用中の複数の入力デバイスからの現在の位置入力データを受信可能なマルチ位置入力システムと、
使用中の複数のポインタを、前記表示画面上の異なるポインタ位置にそれぞれ表示するために生成するポインタ生成システムと、
使用中の前記複数の入力デバイスからのすべての現在の前記位置入力データを、各ポインタ位置を算出する際に反映させることによって前記異なるポインタ位置を算出するマッピング統合プロセッサとを備え、
前記マッピング統合プロセッサは、さらに、継続的に更新される動的境界を画定し、前記異なるポインタ位置を、使用中の前記複数の入力デバイスからの前記入力データの情報に基づいて、前記表示画面の最も左側の領域と最も右側の領域とを画定する前記動的境界においてそれぞれの現在の位置が別々の側に位置するように算出する
装置。
【請求項３２】
前記第１の入力デバイスおよび前記第２の入力デバイスは同一のセンサに備えられ、前記センサは複数の入力を検出し、前記検出された入力から各位置信号を生成する
請求項１に記載のポインタ制御装置。